(57)【要約】      （修正有）【課題】キーホルダーや携帯電話などのストラップに取付け携帯可能として付加価値を高める小型投影玩具を提供する。【解決手段】各種の小物品の中に、投影レンズ筒と電池部ユニットからなる小型の投影器を収納可能な構造とし、内蔵した画像フィルムを投影して観賞できる。小物品は、投影レンズ筒を挿入するレンズ筒挿入部と、電池部ユニットを収納する電池収納部とからなっていて、互いに分離分割可能であり電池収納部は、中心線上の電池収納室において２分割できる。【選択図】図４
0003155475.tif 000002
【実用新案登録請求の範囲】
【請求項１】
各種特産品や動物、乗物などの模型や玩具などのような小物品の中に、投影レンズ筒と電池部ユニットからなる小型の投影器を収納可能な構造とし、内蔵して画像フィルムを投影して観賞可能としたことを特徴とする小物品収納型の小型投影玩具。
【請求項２】
前記小物品は、前記投影レンズ筒を挿入するレンズ筒挿入部と、前記の電池部ユニットを収納する電池収納部とを有し、
前記のレンズ筒挿入部と電池収納部とは分離分割可能であり、電池収納部は、中心線上の電池収納室において、２分割可能となっていることを特徴とする請求項１に記載の小物品収納型の小型投影玩具。
【請求項３】
前記の電池部ユニットは、電源のオン・オフスイッチの操作接点を側面に有しており、この操作接点を操作する押しボタンが、外部から操作可能に装着されていることを特徴とする請求項１または請求項２に記載の小物品収納型の小型投影玩具。
【請求項４】
レンズ筒挿入孔は真円状であるのに対し、電池収納室における前記操作接点の収納部は、押しボタン動作と直角方向の平坦状であることを特徴とする請求項２または請求項３に記載の小物品収納型の小型投影玩具。
【請求項５】
押しボタンの抜け止め用のフランジ部が、前記電池収納室寄りに位置するように、分割面に配置することによって、外部から押しボタン操作が可能に装備されていることを特徴とする請求項２、請求項３または請求項４に記載の小物品収納型の小型投影玩具。
【請求項６】
前記の投影レンズ筒の外端寄りに投影レンズを有し、内端から画像フィルムを挿入し取付け可能となっていることを特徴とする請求項１から請求項５までのいずれかに記載の小物品収納型の小型投影玩具。
【請求項７】
前記の投影レンズ筒は、前記のレンズ筒挿入孔に対し、分割面側から着脱可能となっていることを特徴とする請求項１から請求項６までのいずれかに記載の小物品収納型の小型投影玩具。
【考案の詳細な説明】
【技術分野】
【０００１】
本考案は、キーホルダーや携帯電話などのストラップに取付けて使用するのに適する携帯型の小型投影玩具に関する。
【背景技術】
【０００２】
例えば観光地などでは、景勝地や工芸品などの特産品などの写真が好まれるので、携帯していつでも楽しめる手軽な玩具類に小型の投影器を組み込んで投影し観賞できると、新たな需要が生まれるし、キーホルダーや携帯電話などのストラップなどに取付けても喜ばれると思われる。
ところが、携帯に適した投影玩具としては、特許文献１記載のように、フィルムディスクを回転させて、投影画像の切替を行えるようになっている構造が提案されているだけである。
【先行技術文献】
【特許文献】
【０００３】
【特許文献１】登録実用新案第３０２９９２７号
【考案の概要】
【考案が解決しようとする課題】
【０００４】
このように、特許文献１記載の投影玩具は、複数の画像を選択して楽しめる利点は有るが、観光地の特産品などの模型や玩具などに組み込んで、模型や玩具などの小物品としても兼用することができない。したがって、携帯用の投影玩具単独で楽しむことしかできず、観光地特有の特産品や玩具類としての楽しみが無く、商品としての価値が低い。
このように、小型投影器を各種模型や動物形の小物品に組み込んで、付加価値を高めるために、小型投影器のユニットを簡単に装着し、手軽に取り扱えるようにした組み込み型の小型投影玩具を実現する必要がある。
本考案の技術的課題は、このような問題に着目し、小型投影器のユニットを各種の模型や動物形の小物品に容易に着脱式に組み込んで、キーホルダーや携帯電話などのストラップに取付け携帯可能とし、付加価値を高めることにある。
【課題を解決するための手段】
【０００５】
本考案の技術的課題は次のような手段によって解決される。請求項１は、各種特産品や動物、乗物などの模型や玩具などのような小物品の中に、投影レンズ筒と電池部ユニットからなる小型の投影器を収納可能な構造とし、内蔵した画像フィルムを投影して観賞可能としたことを特徴とする小物品収納型の小型投影玩具である。
このように、各種の小物品の中に、投影レンズ筒と電池部ユニットからなる小型の投影器を収納可能な構造とし、内蔵した画像フィルムを紙や壁面などに投影して観賞できるため、各種特産品や動物、乗物などの模型や玩具としても楽しむことができ、付加価値が高まる。この小型投影器の挿入や取り出し構造は特に限定されず、電池電源のスイッチ手段も任意である。
【０００６】
請求項２は、前記小物品は、前記投影レンズ筒を挿入するレンズ筒挿入部と、前記の電池部ユニットを収納する電池収納部とを有し、
前記のレンズ筒挿入部と電池収納部とは分離分割可能であり、電池収納部は、中心線上の電池収納室において、２分割可能となっていることを特徴とする請求項１に記載の小物品収納型の小型投影玩具である。
このように、動物形や特産等の模した形状の小物品は、投影レンズ筒を挿入するレンズ筒挿入部と、電池部ユニットを収納する電池収納部とからなっていて、互いに分離分割可能であるから、分割してレンズ筒を容易に着脱できる。また、電池収納部は、中心線上の電池収納室において２分割できるので、電池の着脱や電池交換も容易である。
【０００７】
請求項３は、前記の電池部ユニットは、電源のオン・オフスイッチの操作接点を側面に有しており、この操作接点を操作する押しボタンが、外部から操作可能に装着されていることを特徴とする請求項１または請求項２に記載の小物品収納型の小型投影玩具である。
このように、電池部ユニットは、電源のオン／オフスイッチの操作接点を側面に有しており、この操作接点を操作する押しボタンが、外部から操作可能に収納されているので、投影用の電池のオン／オフ操作が容易である。
【０００８】
請求項４は、前記のレンズ筒挿入孔は真円状であるのに対し、電池収納室における前記操作接点の収納部は、押しボタン動作と直角方向の平坦状であることを特徴とする請求項３に記載の小物品収納型の小型投影玩具である。
このように、レンズ筒挿入孔は真円状であるのに対し、電池収納室における前記操作接点の収納部は、押しボタン動作と直角方向の平坦状であるため、電池収納ケースが回転して、電源の操作接点がずれたりして、接触不良などの電源のオンオフ操作に支障を来すような恐れはない。
【０００９】
請求項５は、前記押しボタンの抜け止め用のフランジ部が、前記電池収納室寄りに位置するように、分割面に配置することによって、外部から押しボタン操作が可能に装備されていることを特徴とする請求項３または請求項４に記載の小物品収納型の小型投影玩具である。
このように、前記押しボタンの抜け止め用のフランジ部が、前記電池収納室寄りに位置するように、分割面に配置してあるため、分割した状態において、外部から押しボタン操作できるように、電池と同じ方向から挿入して組み立てることができる。
【００１０】
請求項６は、前記の投影レンズ筒の外端寄りに投影レンズを有し、内端から画像フィルムを挿入し取付け可能となっていることを特徴とする請求項１から請求項５までのいずれかに記載の小物品収納型の小型投影玩具である。
このように、投影レンズ筒の外端寄りに投影レンズを有し、内端から画像フィルムを挿入し取付け可能となっているため、レンズ筒挿入部を分割し分離するだけで、容易に画像フィルムの装着や交換ができる。
【００１１】
請求項７は、前記の投影レンズ筒は、前記のレンズ筒挿入孔に対し、分割面側から着脱可能となっていることを特徴とする請求項１から請求項６までのいずれかに記載の小物品収納型の小型投影玩具である。
このように、投影レンズ筒は、前記のレンズ筒挿入孔に対し、分割面側から着脱可能となっているため、使用時や携帯時、移動時に投影レンズ筒が離脱・脱落し、紛失するなどの心配が無い。
【考案の効果】
【００１２】
請求項１のように、各種の小物品の中に小型の投影器を収納可能とし、内蔵した画像フィルムを投影して観賞でき、かつ各種特産品や動物、乗物などの模型や玩具としても楽しむことができ、付加価値が高まる。
【００１３】
請求項２のように、前記小物品は、レンズ筒挿入部と電池収納部とからなり、互いに分離分割可能であるから、分割してレンズ筒を容易に着脱できる。また、電池収納部は、中心線上の電池収納室において２分割できるので、電池の着脱や電池交換も容易である。
【００１４】
請求項３のように、電池部ユニットは、電源のオン・オフスイッチの操作接点を側面に有しており、この操作接点を操作する押しボタンが、外部から操作可能に装着されているので、投影用の電池の電源オン・オフ操作が容易である。
【００１５】
請求項４のように、レンズ筒挿入孔は真円状であるのに対し、電池収納室の操作接点の収納部は、押しボタン動作と直角方向の平坦状であるため、電池収納ケースが回転して、電源の操作接点がずれたりして、接触不良などの電源のオンオフ操作に支障を来すような恐れはない。
【００１６】
請求項５のように、押しボタンの抜け止めフランジ部が、電池収納室寄りに位置するように、分割面に配置してあるため、２分割した状態において、外部から押しボタン操作できるように、電池と同じ方向から挿入して組み立てることができる。
【００１７】
請求項６のように、投影レンズ筒の外端寄りに投影レンズを有し、内端から画像フィルムを挿入し取付け可能となっているため、レンズ筒挿入部を分割し分離するだけで、容易に画像フィルムの装着や交換ができる。
【００１８】
請求項７のように、投影レンズ筒は、レンズ筒挿入孔に対し、分割面側から着脱可能となっているため、使用時や携帯時、移動時に投影レンズ筒が離脱・脱落し、紛失するなどの心配が無い。
【図面の簡単な説明】
【００１９】
【図１】本考案による小物品収納型の小型投影器の外観斜視図である。
【図２】図１の獅子型小物品の底面図である。
【図３】獅子型小物品のレンズ筒挿入用の本体前面部を分離した状態の本体部の斜視図である。
【図４】小型投影器を収納する獅子型の小物品の分解状態を示す図である。
【図５】本体右半部の収納室に電池ユニットとレンズ筒を収納した状態の正面図である。
【図６】小型投影器を構成する投影レンズ筒と電池部ユニットの断面図である。
【考案を実施するための形態】
【００２０】
次に本考案による小物品収納型の小型投影玩具が実際上どのように具体化されるか図示の獅子（シーサー）型の実施形態で説明する。図１は、本考案による小物品収納型の小型投影玩具の全容を示す外観斜視図である。１は獅子（シーサー）型をした小物品で、座っている状態の正面下部に投影レンズ筒先端２が露出しており、投影レンズＬも見えている。合成樹脂で成型された獅子型小物品１の前面部３は、前部分割面Ａの位置で、本体部４から分離分割でき、分割状態で、前面部３に対し内部から投影レンズ筒を挿入してある。
本体部４の頂端には、鎖などの吊り下げ手段５を取付けてある。
【００２１】
図２は、図１の獅子型小物品１の底面図で、レンズ筒が挿入された前面部３と分割面Ａで分割される本体部４は、背骨位置すなわち前後方向の中心線上に設定した左右分割面Ｂにおいて、左半部４１と右半部４２に２分割でき、この左右分割面Ｂにおいて、底部に押しボタン６が取付けてある。
図１の獅子型小物品１正面のレンズ筒挿入部３を前部分割面Ａ位置で分離すると、図３のように、本体部４の前部分割面Ａが露出し、縦割り状の左右分割面Ｂにおいて、左半部４１と右半部４２に２分割されている。
左右分割面Ｂに、投影レンズ筒の後部と電池部ユニットを収納するための収納室７が四角状に見える。本体部４の左半部４１又は右半部４２の頂端に、前記の吊り下げ手段５の取り付け部８を環状に設けてある。
【００２２】
分解状態を示す図４は、前部分割面Ａと左右分割面Ｂで分割された、前面部３と本体左半部４１と本体右半部４２をそれぞれ内側から見た状態である。
獅子などの動物は左右対称形状をしているので、その中心位置Ｂで前後方向に直線状の面によって左右に２分割してあるが、前後方向には対称形状でないため、獅子の前部の形状に沿った位置Ａで前面部３を分割している。
そのため、本体左半部４１と本体右半部４２の左右分割面Ｂは同一平面になっていて、いずれか片方（図示例では本体左半部４１）の面は複数の円柱状の突起９…を有し、他方の本体右半部４２の面には、前記突起９…が嵌入できる凹孔１０…を形成してある。その結果、本体左半部４１と本体右半部４２の左右分割面Ｂ同士を突き合わせると、前記突起９…が凹孔１０…中に嵌入して、仮保持され合体する。
【００２３】
本体前面部３のレンズ筒挿入孔３ｈ中に挿入されるレンズ筒Ｃの後部と、電池ユニットＵは、本体部４の左右分割面Ｂで分割し開いた状態で、図５のように、何れか片方（例えば本体右半部４２）側の収納室に挿入して、他方の本体左半部４１を合体し、一体化してから、本体前面部３を前部分割面Ａで合体すると、投影レンズ筒先端２がレンズ筒挿入孔３ｈ中に挿入され、投影レンズ筒先端２が、図１のように前面に露出可能となる。
電池ユニットＵは、ボタン電池Ｅを収納した電池ケース１１の前端に設けた投光筒１２中の発光部をオンオフするためのスイッチを備え、レンズ筒Ｃは、その先端に投影レンズＬを有し、後端から投影用のフィルムを挿入しておく。
【００２４】
図５は、本体部４を左右分割面Ｂで合体する前の状態で、図４の本体右半部４２の電池ユニット収納室７２中に電池部ユニットＵを収納すると共に、押しボタン６をボタン収納室６２とボタン孔６ｈ中に挿入してあり、押しボタン６の内端で押されるスイッチの開放接点板１５の接点部は、通常は固定接点１６と分離している。
左右の電池ユニット収納室７１と７２を合体してなる電池収納室７は、図３のように四角状であって、底面は平坦状であるから、電池ケース１１の平面状の底面や開放接点板１５と平行状態となり、電池ユニットの自由な回転は阻止される。
投影レンズ筒Ｃの内端中に投光筒１２が嵌入するように、投影レンズ筒Ｃと嵌入連結させた状態で、投影レンズ筒Ｃを、図４の本体右半部４２のレンズ筒収納室７C2中に挿入してから、突起９…が凹孔１０…中に嵌入するように、他方の本体左半部４１と合体させて、本体部４側を完成させる。
【００２５】
次いで、投影レンズ筒Ｃの先端２を、本体前面部３のレンズ筒挿入孔３ｈ中に挿入すると共に、本体部４の前部分割面Ａと本体前面部３の前部分割面Ａとを突き合わせて合体すると、図１、図２のような小型投影器入りの獅子型小物品１の完成である。
図示例では、投影レンズ筒Ｃの大径先端２の内側に小径筒部２１が有るので、小型投影器を構成する投影レンズ筒Ｃと電池部ユニットＵを連結した状態で、大径先端２を指で摘んで、獅子小物品１から抜き出すことができる。電池ケース１１の背部に圧縮コイルバネを内蔵しておけば、ばね力で小型投影器が押し出されるし、ばね力に抗して小型投影器を押し込んで所定角回転させると、バヨネット機構の原理でロックすることが可能である。逆向きに所定角回転させるとロックが解除されて、ばね力で押し出される。電源スイッチの構成は任意であり、例えば大径先端２を右回転させるとスイッチオンし、左回転でスイッチオフとなる構造も可能である。
これに対し、小径筒部２１に代えて、先端２よりも大径の大径筒部２２を形成すると、鎖線で示す大径筒部２２がレンズ筒挿入孔３ｈから離脱できないようなストッパー機能を持たせて、投影レンズ筒Ｃが挿入孔３ｈから脱落するのを防止する構造も可能である。
【００２６】
本体部４と本体前面部３との間の前部分割面Ａも、左右分割面Ｂ同様に突起９…を凹孔１０…中に嵌入させる構造にしてもよいし、フック爪を設けて引っ掛ける構造やネジ止め構造も可能である。なお、接着も可能だが、分解が困難になる。
左右分割面Ｂも、突起９…を凹孔１０…中に嵌入させる手法に代えて、フック爪で引っ掛けたり、ネジ止めや接着も可能である。
本体部４も本体前面部３も、肉厚ｔの外被部のみが残るような中空構造に成型されており、本体部４の本体左半部４１も本体右半部４２も、左右分割面Ｂが同一面となるように畦状部１７は平面状であるが、畦状部１７以外は、肉厚ｔの外被部のみが残るように中空に成型されている。
なお、電池ユニット収納室７１・７２とレンズ筒収納室７C1・７C2は、本体左右半部４１と４２が合体した状態で、四角状の空間となるように、畦状部が浅く形成されている。
【００２７】
図６に示すように、投影レンズ筒Ｃの内部は、前端に投影レンズＬを内蔵してあり、内端側に一体成型された内向き鍔部１８の内端面に画像フィルムｆを装着してある。画像フィルムｆの外径を、投影レンズ筒Ｃの内径ｄよりわずかに大きく設定しておけば、画像フィルムｆ自身の弾力で投影レンズ筒Ｃ内に保持されるため、画像フィルムｆが投影レンズ筒Ｃ内から容易に離脱する恐れはない。
しかし、図示のように、画像フィルムｆの離脱防止用の突起１９を例えば１２０度間隔に投影レンズ筒Ｃの内周に形成しておいて、リング状鍔部１８と突起１９との間に画像フィルムｆを挿入すれば、より確実に離脱防止が可能である。
【００２８】
電池ユニットＵは、電池Ｅの収納ケース１１の前端に設けた発光体２０を囲う投光筒１２の下部に設けた固定接点１６と電池収納ケース１１側の開放接点板１５の接点とが間隔をおいて対向するスイッチ１３を設けてあるので、図５の押しボタン６を外部から圧すと、固定接点１６に開放接点板１５が押し着けられて、発光体２０が通電されて点灯する。
投光筒１２は、投影レンズ筒Ｃ中に挿入されるため、点灯して画像フィルムｆが照明されると、その画像が投影レンズＬで拡大されて、投影面に照射されるので、その照射画像を楽しむことができる。
照射画像は通常１〜５ｃｍ程度と小さいため、掌や身の周りに有る紙、包装紙や名刺などの裏面などを利用して、容易に投影して楽しむことができる。
【００２９】
図示の投光筒１２は上半分が開いていて、発光体２０を組み込んだ後、上半分のキャップ体１２ｃを被せてから、投影レンズ筒Ｃ中に挿入する構造になっているが、最初から一体構造も可能である。
また、画像フィルムｆを容易に取り出せるように、投影レンズ筒Ｃの側壁に開けた小孔から、例えば爪楊枝やピンなどのような細長い棒を挿入して、画像フィルムｆをレンズＬ側から押し出せるようにしておくのがよい。
このように、容易に画像フィルムｆを取り出せるため、画像の異なるフィルムｆを何枚か用意しておき、自由に交換して、投影し観賞することもできる。したがって、観光地の景勝地や名所旧跡、特産品などの画像フィルムを購入して、手軽に投影し楽しむことができる。
【００３０】
そのため、投影レンズ筒Ｃと電池部ユニットＵから成る本考案の小型投影器を収納するための小物品としては、観光地などで販売されている各種小物品が好適で、各種の動物や果実、乗物の模型、人形、ぬいぐるみ、各種玩具などが考えられるが、特に限定はされない。従って、材質も合成樹脂製に限らず、陶器製やガラス製、木製、布製なども可能であり、材質も様々である。
以上のように、各種小物品に投影レンズ筒Ｃと電池部ユニットＵを収納すると共に、電池部ユニットＵの固定接点１６に開放接点板１５の接点部を押しボタン６で押し着けて電源をオンオフするスイッチ１３を設けることで足りる。
しかし、このような特別な電源スイッチに代えて、投影レンズ筒を外から押すだけで接点が接触して電源がオンし、再度押すとオフとなる構成でもよい。
【産業上の利用可能性】
【００３１】
以上のように、本考案は、小型の投影器を土産品の模型や動物形などの小物品に組み込んで携帯可能とし、付近の壁面や紙などに手軽に投影して楽しめるため、ストラップやキーホルダーに取付けて観光地などで販売するのに適しており、また投影玩具としても好適である。
【符号の説明】
【００３２】
１  シーサー型の小物品
２  投影レンズ筒先端
Ｌ  投影レンズ
３  獅子型小物品の前面部
３ｈ  レンズ筒挿入孔
Ａ  前部分割面
Ｂ  左右分割面
４  本体部
４１  左半部
４２  右半部
６  押しボタン
６２  ボタン収納室
６ｈ  ボタン孔
７  電池ユニットの収納室
７１・７２  電池収納室
７C1・７C2  レンズ筒収納室
９  円柱状突起
１０  凹孔
Ｃ  レンズ筒
Ｕ  電池ユニット
１１  電池ケース
１２  投光筒
１３  スイッチ
１５  開放接点板
１６  固定接点
１７  畦状部
１８  内向き鍔部
ｆ  画像フィルム
２０  発光体
【図１】
0003155475.tif 000003
【図２】
0003155475.tif 000004
【図３】
0003155475.tif 000005
【図４】
0003155475.tif 000006
【図５】
0003155475.tif 000007
【図６】
0003155475.tif 000008